(57)【要約】      （修正有）【課題】化粧液噴射用とエアマッサージ用とを兼用できるようにしたエアノズル装置を提供する。【解決手段】ノズル本体が、化粧液が貯溜される貯溜部１２と、先端部に位置されて貯溜部１２からの化粧液が導かれるノズル部１１と、エア圧発生源４２に接続されると共にノズル部１の周縁部からエアを噴射させるエア噴射口と、を備えている。化粧液の噴射用として使用するときは、大きな有効開口面積を有する化粧液用噴射ノズル６１からエアが噴射される。例えば噴射ノズル６１に、有効開口面積の小さなエアマッサージ用ノズル構成部材７１を取付けることにより、あるいはエア圧発生源４２での発生エア圧を大きくすることにより、噴射エアの流速が早まって、エアマッサージ用として使用される。【選択図】図１
0003179261.tif 000002
【実用新案登録請求の範囲】
【請求項１】
エア圧発生源と、
化粧液が貯溜される貯溜部と、先端部に位置されて該貯溜部からの化粧液が導かれるノズル部と、前記エア圧発生源に接続されると共に該ノズル部の周縁部からエアを噴射させるエア噴射口と、を有するノズル本体と、
前記ノズル本体の先端部に設けられ、前記ノズル部を囲むと共に内部に前記エア噴射口からのエアが供給される噴射ノズルと、
前記噴射ノズルから噴射されるエアの流速を調整する流速調整手段と、
を備え、
前記噴射ノズルから噴射されるエアの流速が遅い第１流速状態でもって前記貯溜部に貯溜された化粧液を前記噴射ノズルから噴射させる化粧液噴射用としての使用状態と、前記第１流速状態よりも流速が早い第２流速状態でもって前記噴射ノズルからエアのみを噴射させるエアマッサージ用としての使用状態とが選択可能とされている、
ことを特徴とするエアノズル装置。
【請求項２】
請求項１において、
前記流速調整手段が、前記噴射ノズルの有効開口面積を変更するようにされている、ことを特徴とするエアノズル装置。
【請求項３】
請求項２において、
前記噴射ノズルが、化粧液噴射用とされ、
前記流量調整手段として、前記噴射ノズルの有効開口面積よりも小さな有効開口面積を有するエアマッサージ用ノズルが別途設けられ、
前記エアマッサージ用ノズルを用いないことにより化粧液噴射用の使用状態とされる一方、該エアマッサージ用ノズルを用いることによってエアマッサージ用の使用状態とされる、
ことを特徴とするエアノズル装置。
【請求項４】
請求項３において、
前記エアマッサージ用ノズルが、筒状とされると共に少なくとも先端部が弾性部材により形成されており、
前記エアマッサージ用ノズルの先端は、その使用状態において、前記ノズル本体のもっとも先端側に位置するようにされている、
ことを特徴とするエアノズル装置。
【請求項５】
請求項４において、
前記エアマッサージ用ノズルが、前記噴射ノズルに対して着脱自在に取付けられる、
ことを特徴とするエアノズル装置。
【請求項６】
請求項５において、
前記エアマッサージ用ノズルが、全体的に弾性部材により形成され、
前記エアマッサージ用ノズルは、その弾性変形を利用して前記噴射ノズルの先端部に着脱自在に嵌合される、
ことを特徴とするエアノズル装置。
【請求項７】
請求項３において、
前記ノズル本体に、前記噴射ノズルが着脱自在に取付けられ、
前記エアマッサージ用ノズルが、前記噴射ノズルに代えて前記ノズル本体に着脱自在に取付けられる、
ことを特徴とするエアノズル装置。
【請求項８】
請求項７において、
前記エアマッサージ用ノズルの少なくとも先端部が弾性部材によって形成されている、ことを特徴とするエアノズル装置。
【請求項９】
請求項３ないし請求項８のいずれか１項において、
前記エアマッサージ用ノズルとして、有効開口面積の異なる複数種が用意されている、ことを特徴とするエアノズル装置。
【請求項１０】
請求項１において、
前記流速調整手段が、前記エア圧発生源で発生されるエア圧を調整するようにされている、ことを特徴とするエアノズル装置。
【請求項１１】
請求項１０において、
前記エア圧発生源が、エア圧を発生させるためのポンプと、該ポンプを駆動するモータと、を有し、
前記流速調整手段が、前記モータの回転数を調整する回転数調整手段として構成されている、
ことを特徴とするエアノズル装置。
【請求項１２】
請求項１１において、
前記流速調整手段が、前記モータの回転数を、小回転数と中回転数と大回転数との少なくとも３段階で調整するようにようにされ、
前記モータの回転数が前記小回転数のときは、前記貯溜部にアイシャドウ用化粧液を貯溜させて前記噴射ノズルからアイシャドウ用化粧液を噴射させる使用状態とされ、
前記モータの回転数が前記中回転数のときは、前記貯溜部にファンデーション用化粧液を貯溜させて前記噴射ノズルからファンデーション用化粧液を噴射させる使用状態とされ、
前記モータの回転数が前記大回転数のときは、前記噴射ノズルからエアのみを噴射させるエアマッサージ用の使用状態とされる、
ことを特徴とするエアノズル装置。
【請求項１３】
請求項１０ないし請求項１２のいずれか１項において、
前記流速調整手段として、前記噴射ノズルの有効開口面積を変更する開口面積変更手段をさらに備えている、ことを特徴とするエアノズル装置。
【請求項１４】
請求項１３において、
前記噴射ノズルが、化粧液の噴射用とされ、
前記流速調整手段が、前記噴射ノズルの有効開口面積を小さくするためのエアマッサージ用ノズルによって構成されている、
ことを特徴とするエアノズル装置。
【請求項１５】
請求項１４において、
前記エアマッサージ用ノズルが、前記噴射ノズルに対して着脱自在に嵌合される、
ことを特徴とするエアノズル装置。
【請求項１６】
請求項１５において、
前記エアマッサージ用ノズル部材が、全体的に弾性部材により形成されると共に、使用状態においてもっとも先端側に位置される、ことを特徴とするエアノズル装置。
【請求項１７】
請求項１０ないし請求項１２のいずれか１項において、
前記流量調整手段として、前記噴射ノズルの有効開口面積よりも小さな有効開口面積を有するエアマッサージ用ノズルをさらに有し、
前記噴射ノズルが、化粧液噴射用とされると共に前記ノズル本体に着脱自在に取付けられ、
前記エアマッサージ用ノズルが、前記噴射ノズルに代えて前記ノズル本体に着脱自在に取付けられる、
ことを特徴とするエアノズル装置。
【請求項１８】
請求項１７において、
前記エアマッサージ用ノズルの少なくとも先端部が、弾性部材によって形成されている、ことを特徴とするエアノズル装置。
【請求項１９】
請求項１４ないし請求項１８のいずれか１項において、
前記エアマッサージ用ノズルとして、有効開口面積の異なる複数種が用意されている、ことを特徴とするエアノズル装置。
【請求項２０】
請求項１ないし請求項１９のいずれか１項において、
前記噴射ノズルが、前記ノズル本体に対して着脱自在に取付けられ、
前記噴射ノズルに代えて前記ノズル本体に着脱自在に設けられ、フィルタと膨張室とを有する泡立てノズルをさらに有し、
前記貯溜部に洗顔液を貯溜させることにより、前記泡立てノズル内に噴射された前記エアと洗顔液との混合物が前記フィルタと前記膨張室とを通過することにより、洗顔液がクリーム状となって前記泡立てノズルの先端から吐出される、
ことを特徴とするエアノズル装置。
【請求項２１】
請求項１ないし請求項２０のいずれか１項において、
前記ノズル本体が、前記ノズル部の開口面積を閉状態から全開状態に渡る範囲でもって変更するための操作部を有している、ことを特徴とするエアノズル装置。
【請求項２２】
請求項１ないし請求項２１のいずれか１項において、
前記ノズル部は、弁筒部材と、該弁筒部材内に挿入された先細状のニードル弁と、を備えて、該ニードル弁の変位に応じて該ノズル部の開口面積が変更され、
前記ノズル本体内には、前記ノズル部が閉状態となるように前記ニードル弁を先端側に向けて付勢するスプリングが設けられ、
前記操作部によって前記スプリングに抗して前記ニードル弁を後退変位させることにより、前記ノズル部の開口面積が大きくされる、
ことを特徴とするエアノズル装置。
【考案の詳細な説明】
【技術分野】
【０００１】
本考案は、化粧液噴射用とエアマッサージ用とを兼用できるようにしたエアノズル装置に関するものである。
【背景技術】
【０００２】
化粧用具の一種として、エアを利用して化粧液を顔面に噴射（噴霧）するためのエアノズルが知られている。このエアノズルは、そのノズル本体に、化粧液を貯溜する貯溜部と、ノズル本体の先端部に形成されて該貯溜部に連なるニードル弁式のノズル部と、ニードル弁を操作する操作部と、エア圧発生源に接続されると共にノズル部の周縁部に開口されたエア噴射口と、を有する。そして、ノズル本体の先端部には、ノズル部を囲むと共に内部にエア噴射口からのエアが供給される噴射ノズルが設けられる。このようなエアノズルは、片方の手指で把持されて、噴射ノズルを顔面に向けて使用されることになる。すなわち、エア噴射口から噴射されるエアのベンチュリ効果によって、ノズル部から化粧液が吸引されて、エアと化粧液との混合物が噴射ノズルから噴射されることになる。そして、化粧液の量は、操作部を操作してノズル部の開口面積を変更することにより行われる。
【０００３】
特許文献１には、噴射ノズルの変更と貯溜部に貯溜させる液体の変更によって、化粧液噴射を行う化粧用としての使用状態と、洗顔液をクリーム状にして噴射する洗顔用としての使用状態とを適宜選択できるようにしたエアノズル装置が開示されている。また、特許文献２には、耐圧容器に封入された化粧液と炭酸ガス等の噴射剤とを噴射するものが開示されており、ジェット噴射を行うことによりマッサージ効果が得られるということも開示されている。特許文献３には、化粧水と炭酸ガスとの混合物を顔面に噴射してマッサージするものが開示されている。
【先行技術文献】
【特許文献】
【０００４】
【特許文献１】実用新案登録第３１５９０１９号公報
【特許文献２】特開２００３−５４６６２号公報
【特許文献３】特許第４２７７３０６号公報
【考案の概要】
【考案が解決しようとする課題】
【０００５】
ところで、マッサージの中には、エアを顔面等に噴射させてマッサージを行うエアマッサージがある。このエアマッサージの機能を、化粧液噴射用のエアノズル装置でもって兼用できれば好ましいものとなる。しかしながら、化粧液噴射においては、化粧液を顔面にゆるやかに衝突させて付着させる等の観点から、エア噴射口つまり噴射ノズルから噴射されるエアの流速はかなり遅いものとならざるを得ず、エアマッサージ用としては使用できないものである。逆に、噴射ノズルから噴射されるエアの流速をエアマッサージ用に適したものに設定すると、化粧液噴射の際には、化粧液が局所的にかつ激しく顔面に衝突してしまい、化粧液を薄くかつ全体的に均一に塗布するということが困難となってしまい、化粧液噴射用としては使用できないものとなる。
【０００６】
本考案は以上のような事情を勘案してなされたもので、その目的は、化粧液噴射用とエアマッサージ用とを兼用できるようにしたエアノズル装置を提供することにある。
【課題を解決するための手段】
【０００７】
前記目的を達成するため、本考案にあっては、基本的に、噴射ノズルから噴射されるエアの流速を調整可能として、化粧液噴射用として使用するときは噴射ノズルから噴射されるエアの流速を遅い（小さい）状態とし、エアマッサージ用として使用するときは噴射ノズルから噴射されるエアの流速を早い（大きい）状態とするようにしてある。具体的には、本考案におけるエアノズル装置にあっては、次のような解決手法を採択してある。すなわち、請求項１に記載のように、
エア圧発生源と、
化粧液が貯溜される貯溜部と、先端部に位置されて該貯溜部からの化粧液が導かれるノズル部と、前記エア圧発生源に接続されると共に該ノズル部の周縁部からエアを噴射させるエア噴射口と、を有するノズル本体と、
前記ノズル本体の先端部に設けられ、前記ノズル部を囲むと共に内部に前記エア噴射口からのエアが供給される噴射ノズルと、
前記噴射ノズルから噴射されるエアの流速を調整する流速調整手段と、
を備え、
前記噴射ノズルから噴射されるエアの流速が遅い第１流速状態でもって前記貯溜部に貯溜された化粧液を前記噴射ノズルから噴射させる化粧液噴射用としての使用状態と、前記第１流速状態よりも流速が早い第２流速状態でもって前記噴射ノズルからエアのみを噴射させるエアマッサージ用としての使用状態とが選択可能とされている、
ようにしてある。
【０００８】
上記解決手法によれば、化粧液噴射用として使用するときは、噴射ノズルからは遅い流速でもってエアを噴射させて、化粧液塗布に適した噴射状態とすることができる。また、エアマッサージ用として使用するときは、噴射ノズルから早い流速でもってエアを噴射させて、エアによるマッサージ効果を十分に得ることができる。
【０００９】
上記解決手法を前提とした好ましい態様は、請求項２以下に記載のとおりである。すなわち、
前記流速調整手段が、前記噴射ノズルの有効開口面積を変更するようにされている、ようにしてある（請求項２対応）。この場合、噴射ノズルの有効開口面積変更によって、流速を変更することができる。
【００１０】
前記噴射ノズルが、化粧液噴射用とされ、
前記流量調整手段として、前記噴射ノズルの有効開口面積よりも小さな有効開口面積を有するエアマッサージ用ノズルが別途設けられ、
前記エアマッサージ用ノズルを用いないことにより化粧液噴射用の使用状態とされる一方、該エアマッサージ用ノズルを用いることによってエアマッサージ用の使用状態とされる、
ようにしてある（請求項３対応）。この場合、専用のエアマッサージ用ノズルを用いることにより、エアマッサージに適した流速を確実に得る上で好ましいものとなる。
【００１１】
前記エアマッサージ用ノズルが、筒状とされると共に少なくとも先端部が弾性部材により形成されており、
前記エアマッサージ用ノズルの先端は、その使用状態において、前記ノズル本体のもっとも先端側に位置するようにされている、
ようにしてある（請求項４対応）。この場合、エアマッサージの最中に、エアマッサージ用ノズルの先端部が顔面等に不用意に接触しても、弾性的に接触するだけなのでなんら問題のないものとなる。
【００１２】
前記エアマッサージ用ノズルが、前記噴射ノズルに対して着脱自在に取付られる、ようにしてある（請求項５対応）。この場合、エアマッサージ用ノズルは、その基端部側を噴射ノズルでもって兼用させて、エアマッサージ用ノズルを極力簡単な構成とする上で好ましいものとなる。
【００１３】
前記エアマッサージ用ノズルが、全体的に弾性部材により形成され、
前記エアマッサージ用ノズルは、その弾性変形を利用して前記噴射ノズルの先端部に着脱自在に嵌合される、
ようにしてある（請求項６対応）。この場合、エアマッサージ用ノズルが不用意に顔面等に接触した場合の問題を回避しつつ、弾性変形を利用して噴射ノズルに着脱自在に取付けられるので、この取付構造を簡単化する上でも好ましいものとなる。
【００１４】
前記ノズル本体に、前記噴射ノズルが着脱自在に取付けられ、
前記エアマッサージ用ノズルが、前記噴射ノズルに代えて前記ノズル本体に着脱自在に取付けられる、
ようにしてある（請求項７対応）。この場合、エアマッサージ用ノズルは、洗顔液噴射に適した噴射ノズルの構造等の制約を受けることなく、もっぱらエアマッサージ用とされるので、エアマッサージ用としてもっとも好適なエア噴射を行わせる等の上で好ましいものとなる。
【００１５】
前記エアマッサージ用ノズルの少なくとも先端部が弾性部材によって形成されている、ようにしてある（請求項８対応）。この場合、エアマッサージ時に、エアマッサージ用ノズルが不用意に顔面等に接触した場合の問題を回避する上で好ましいものとなる。
【００１６】
前記エアマッサージ用ノズルとして、有効開口面積の異なる複数種が用意されている、ようにしてある（請求項９対応）。この場合、エアマッサージの際に、使用者の好みにあったエア噴射を得る上で好ましいものとなる。
【００１７】
前記流速調整手段が、前記エア圧発生源で発生されるエア圧を調整するようにされている、ようにしてある（請求項１０対応）。この場合、発生エア圧を変更するという手法でもって、噴射エアの流速を変更することができる。
【００１８】
前記エア圧発生源が、エア圧を発生させるためのポンプと、該ポンプを駆動するモータと、を有し、
前記流速調整手段が、前記モータの回転数を調整する回転数調整手段として構成されている、
ようにしてある（請求項１１対応）。この場合、発生エア圧を変更する具体的な手法が提供される。
【００１９】
前記流速調整手段が、前記モータの回転数を、小回転数と中回転数と大回転数との少なくとも３段階で調整するようにようにされ、
前記モータの回転数が前記小回転数のときは、前記貯溜部にアイシャドウ用化粧液を貯溜させて前記噴射ノズルからアイシャドウ用化粧液を噴射させる使用状態とされ、
前記モータの回転数が前記中回転数のときは、前記貯溜部にファンデーション用化粧液を貯溜させて前記噴射ノズルからファンデーション用化粧液を噴射させる使用状態とされ、
前記モータの回転数が前記大回転数のときは、前記噴射ノズルからエアのみを噴射させるエアマッサージ用の使用状態とされる、
ようにしてある（請求項１２対応）。この場合、化粧液噴射用として、アイシャドウ用とファンデーション用とのそれぞれに適した２種類のエア流速を得つつ、エアマッサージに適したエア流速をも得ることができる。
【００２０】
前記流速調整手段として、前記噴射ノズルの有効開口面積を変更する開口面積変更手段をさらに備えている、ようにしてある（請求項１３対応）。この場合、発生エア圧の変更に加えて、噴射ノズルの有効開口面積変更をも行うことにより、噴射エア圧を大きな範囲でもって変更することが可能となる。
【００２１】
前記噴射ノズルが、化粧液の噴射用とされ、
前記流速調整手段が、前記噴射ノズルの有効開口面積を小さくするためのエアマッサージ用ノズルによって構成されている、
ようにしてある（請求項１４対応）。この場合、請求項３に対応した効果とほぼ同様の効果を得ることができる。
【００２２】
前記エアマッサージ用ノズルが、前記噴射ノズルに対して着脱自在に嵌合される、ようにしてある（請求項１５対応）。この場合、請求項５に対応した効果と同様の効果を得ることができる。
【００２３】
前記エアマッサージ用ノズル部材が、全体的に弾性部材により形成されると共に、使用状態においてもっとも先端側に位置される、ようにしてある（請求項１６対応）。この場合、請求項６に対応した効果と同様の効果を得ることができる。
【００２４】
前記流量調整手段として、前記噴射ノズルの有効開口面積よりも小さな有効開口面積を有するエアマッサージ用ノズルをさらに有し、
前記噴射ノズルが、化粧液噴射用とされると共に前記ノズル本体に着脱自在に取付けられ、
前記エアマッサージ用ノズルが、前記噴射ノズルに代えて前記ノズル本体に着脱自在に取付けられる、
ようにしてある（請求項１７対応）。この場合、請求項７に対応した効果と同様の効果を得ることができる。
【００２５】
前記エアマッサージ用ノズルの少なくとも先端部が、弾性部材によって形成されている、ようにしてある（請求項１８対応）。この場合、請求項８に対応した効果と同様の効果を得ることができる。
【００２６】
前記エアマッサージ用ノズルとして、有効開口面積の異なる複数種が用意されている、ようにしてある（請求項１９対応）。この場合、請求項９に対応した効果と同様の効果を得ることができる。
【００２７】
前記噴射ノズルが、前記ノズル本体に対して着脱自在に取付けられ、
前記噴射ノズルに代えて前記ノズル本体に着脱自在に設けられ、フィルタと膨張室とを有する泡立てノズルをさらに有し、
前記貯溜部に洗顔液を貯溜させることにより、前記泡立てノズル内に噴射された前記エアと洗顔液との混合物が前記フィルタと前記膨張室とを通過することにより、洗顔液がクリーム状となって前記泡立てノズルの先端から吐出される、
ようにしてある（請求項２０対応）。この場合、化粧液噴射用としての使用とエアマッサージ用としての使用に加えて、洗顔液をクリーム状として得る洗顔用としての使用をさらに得ることができる。
【００２８】
前記ノズル本体が、前記ノズル部の開口面積を閉状態から全開状態に渡る範囲でもって変更するための操作部を有している、ようにしてある（請求項２１対応）。この場合、
操作部を操作しないときに化粧液が無駄に吐出されてしまうのを防止することができる。
【００２９】
前記ノズル部は、弁筒部材と、該弁筒部材内に挿入された先細状のニードル弁と、を備えて、該ニードル弁の変位に応じて該ノズル部の開口面積が変更され、
前記ノズル本体内には、前記ノズル部が閉状態となるように前記ニードル弁を先端側に向けて付勢するスプリングが設けられ、
前記操作部によって前記スプリングに抗して前記ニードル弁を後退変位させることにより、前記ノズル部の開口面積が大きくされる、
ようにしてある（請求項２２対応）。この場合、ノズル部をニードル弁式としつつ、請求項２１に対応した効果を得ることができる。
【考案の効果】
【００３０】
本考案によれば、化粧液噴射用としての使用とエアマッサージ用としての使用とを選択的に行うことのできるエアノズル装置を提供することができる。特に、化粧液噴射用のエアノズルを有効に利用して、エアマッサージ機能を追加的に得る上で好ましいものとなる。
【図面の簡単な説明】
【００３１】
【図１】本考案が適用されたエアノズル装置の一例を示す全体図。
【図２】ノズル部の詳細を示す要部拡大断面図。
【図３】泡立てノズルを使用したときのノズル部付近を示す要部拡大断面図。
【図４】化粧液噴射用ノズルを使用したときのノズル部付近を示す要部拡大断面図。
【図５】化粧液噴射用ノズルを使用して、顔面に化粧液を塗布する様子を示す図。
【図６】エアマッサージ用ノズル構成部材の一例を示す側面断面図。
【図７】エアマッサージ用ノズル構成部材の一例を示すもので、図６に示すものよりも有効開口面積が大きくされた場合を示す側面断面図。
【図８】エアマッサージ用ノズル構成部材の一例を示すもので、図６に示すものよりも有効開口面積が小さくされた場合を示す側面断面図。
【図９】図６に示すエアマッサージ用ノズル構成部材を化粧液噴射用ノズルに取付けてエアマッサージ用して使用するときの状態を示す要部拡大断面図。
【図１０】エア圧発生源の内部構成例を示すブロック回路図。
【考案を実施するための形態】
【００３２】
以下本考案の実施形態について説明するが、実施形態では、化粧液噴射用とエアマッサージ用との２つの使用状態に加えて、さらに洗顔液をクリーム状にして吐出する洗顔クリーム噴射用の使用状態をも得られるようにして、合計３種類の使用状態を選択できるものとされている。
【００３３】
図１において、エアノズルＡは、ノズル本体１を有する。このノズル本体１は、前側構成部材１Ａと後側構成部材１Ｂとの分割構成とされて、全体的に手指で把持できるように細長く形成されている。前側構成部材１Ａは例えば金属によって前後に開口された筒状に形成され、後側構成部材１Ｂは例えば合成樹脂あるいは金属によって後端が閉じられた筒状に形成されている。そして、前側構成部材１Ａの後端部に後側構成部材１Ｂの前端部を螺合することにより、前側構成部材１Ａと後側構成部材１Ｂとが着脱自在に結合されている。
【００３４】
ノズル本体１は、ノズル部１１と、貯溜部１２と、操作部１３と、エア接続部１４と、を有する。ノズル部１１は、ノズル本体１の先端部に構成されている。具体的には、図２に示すように、細長い筒状の弁筒部材２１と、弁筒部材２１内に軸方向に変位可能に位置された長いニードル弁２２とを有する。弁筒部材２１はノズル本体１に固定され、ニードル弁２２は先端部が徐々に先細となるように形成されている。ニードル弁２２がもっとも前方（図１，図２左方）に位置したときは、弁筒部材２２（つまりノズル部１）の先端を閉じる閉弁状態とされる。この閉弁状態からニードル弁２２を後方（図１、図２右方）へ変位させると、弁筒部材２１の先端が開口され、その開口面積は、ニードル弁２２の後方への変量が大きくなるほど大きくされる。
【００３５】
図１に示すように、ニードル弁２２は、その途中に大径部２２ａを有する。この大径部２２ａの後方において、ノズル本体１内には環状のストッパ部材２３が螺合によって固定されている。このストッパ部材２３と大径部２２ａとの間には、ニードル弁２２を取り巻くように配設されたコイルスプリングからなるリターンスプリング２４が配設されて、ニードル弁２２は常時前方に向けて付勢されている（ノズル部１が閉弁される方向へ付勢されている）。なお、ニードル弁２２は、環状のストッパ部材２３および操作部１３（に形成された貫通孔）を摺動可能に貫通している。
【００３６】
貯溜部１２は、図２に示すように、化粧液（例えばファンデーション用やアイシャドウ用等のための液体）あるいは洗顔液（例えば洗顔石けん液）を貯溜できるようになっている。この貯溜部１２は、ノズル本体１（の前側構成部材１Ａ）に一体的に形成されて、上方が開口されると共に、その底部が、前記弁筒部材２１の後端開口部に連なっている。つまり、貯溜部１２に貯溜された液体は、弁筒部材２１内（弁筒部材２１とニードル弁２２との間の隙間）を通って、弁筒部材２１の先端部つまりノズル部１１に導入されるようになっている。
【００３７】
ノズル部１１の開口面積（開度）の変更は、操作部１３を操作して、ニードル弁２２を前後方向に変位させることによって行われる。この操作部１３は、ノズル本体１（の前側構成部材１Ａ）にピン２６（図１参照）を中心に所定角度範囲だけ揺動可能に保持されて、例えば人差し指あるいや親指で前後方向に揺動操作されるようになっている。そして、操作部１３の中間部が、前記大径部２２ａの前端面に対して前方から当接可能とされている。操作部１３がその前方揺動端位置にあるときは、ニードル弁２２は、リターンスプリング３２によって前方ストローク端に位置されて、ノズル部１が閉状態（閉弁状態）とされる。この閉状態から、操作部１３を後方に向けて揺動操作することによって、大径部２２ａを介してニードル弁２２が後方へ変位されて開弁され、ニードル弁２２の後方への変位量が大きくなるにつれてノズル部１の開口面積が大きくされて、最終的に全開状態とされる。
【００３８】
前記エア接続部１４は、例えば可撓性チューブからなるエアパイプ４１を介して、エア圧発生源としてのエアポンプ４２に接続される。このエア接続部１４は、図２に示すように、ノズル本体１（の前側構成部材１Ａ）内に形成されたエア通路３５の一端に連なっている。そして、エア通路３５の他端は、ノズル部１の直下方において、ノズル本体１の前面にエア噴射口３５ａとして開口されている。エアポンプ４２からエア通路３５に供給されたエア（加圧エア）は、エア噴射口３５ａから前方に向けて噴射されることになり、このときノズル部１が開弁されていると、ベンチュリ効果によって弁筒部材１１内の液体がノズル部１から吸引されてエアと共に前方へ噴射されることになる。ノズル部１の開口面積（開度）が大きいほど、噴射される液体量が増大されることになる。
【００３９】
ノズル本体１の先端部には、泡立てノズル５１または化粧液用の噴射ノズル６１が選択的に取付けられるようになっている。すなわち、ノズル本体１の先端部には、ノズル部１１の周囲において短い筒状の取付部１６が形成され、この取付部１６の外周に雄ねじ部１６ａが形成されている。そして、泡立てノズル５１および噴射ノズル６１の各後端部内面には、図３あるいは図４に示すように、上記雄ねじ部１６ａに螺合される雌ねじ部５１ａあるいは６１ａが形成されている。
【００４０】
噴霧用ノズル６１の詳細について、噴霧用ノズル６１をノズル本体１に装着した状態を示す図４を参照しつつ説明する。なお、図４では、貯溜部１２に化粧液が貯溜されている。噴霧用ノズル６１は、１つの部材によって形成されて、その基端部側は、先端に向かうにつれて徐々に径が小さくなり、最小径部分から先端側は同一径でもって伸びている。噴霧用ノズル６１の最小径部分には、隔壁部６２が形成されて、この隔壁部６２に小孔６２ａが開口されている。この小孔６２ａは、ニードル弁３２が進出可能とされていて、若干の絞り作用を奏するようになっている。
【００４１】
噴霧用ノズル６１を使用した場合は、ノズル部１１からの化粧液とエア噴射口３５ａからのエアとの混合物は、若干の広がりをもつ噴霧状として噴霧用ノズル６１から吐出されることになる。操作部１３を操作して、ノズル部１１の開度を大きくするほど、含まれる化粧液の割合が増大されることになる。エアノズルＡを図５に示すように片方の手指で把持して、噴射ノズル６１の先端を顔面に近づけた状態で、顔面に沿ってエアノズルＡを移動させることによって、化粧液が顔面全体に薄くかつ均一に塗布されることになる。
【００４２】
次に、泡立てノズル５１の詳細について、泡立てノズル５１をノズル本体１に装着した状態を示す図３を参照しつつ説明する。なお、図３では、貯溜部１２に洗顔液が貯溜されている。泡立てノズル５１は、複数（実施形態では２つ）の筒状のノズル構成部材５１Ａ、５１Ｂを直列にねじ結合することにより構成され、ねじ結合部分が符合α１で示される。泡立てノズル５１内には、細かい目を有する複数（実施形態では２つ）のフィルタ５２、５３が互いに間隔をあけて配設されている。各フィルタ５２、５３は、例えば円板状のポリエステルメッシュとされて、泡立てノズル５１の所定位置に固定されている。具体的には、フィルタ５２は、ノズル構成部材５１内面に形成された段部とスナップリング６０との間に挟持されている。フィルタ５３は、ノズル構成部材５１Ａと５１Ｂとの間に挟持されている。なお、フィルタ５２は例えばメッシュ１０５μ、フィルタ５３は例えばメッシュ２２７μとされている。
【００４３】
各フィルタ５２、５３によって、泡立てノズル５１内は、その基端側（ノズル本体１側）から順次、第１室５５，第２室５６，第３室５７の３つの室に区画されている。第１室５５は、ノズル部１１とエア噴射口３５ａとが臨まされて、ここでノズル部１１（貯溜部１２）からの洗顔液とエアとが混合される。洗顔液とエアとの混合物は、フィルタ５２、膨張室としての第２室５６，フィルタ５３，膨張室としての第３室５７を通って、泡立てノズル５１の先端からクリーム状となって吐出される。すなわち、細かい目を有するフィルタ５２を通過した直後に膨張室としての第２室５６でもって極めて細かい泡状つまりクリーム状とされ、このような作用を複数回経ることにより、泡立てノズル５１の先端からは極めてきめ細かい洗顔液のクリーム状物（図３，図５において符合Ｆで示される）が吐出されることになる。この場合、各室５５〜５７でもってエアの速度が減速されて、泡立てノズル５１から吐出される洗顔液のクリーム状物は、勢いよく前方へ飛び出すことなく、ゆっくりと広がるようにして吐出されることになる。操作部１３を操作してノズル部１の開度を大きくするほど、泡成物に含まれる洗顔液の量が増大されることになる。換言すれば、クリーム状の洗顔液の濃さ（つまりクリーム状洗顔液の保形性を示す硬さともなる）を、操作部１３の操作によって変更することが可能となる。
【００４４】
エアノズルＡを片方の手指で把持して、泡立てノズル５１の先端を顔面に近づけた状態で、顔面に沿ってエアノズルＡを移動させることによって、クリーム状の洗顔液が顔面全体に塗布されることになる。泡立てノズル５１から吐出された直後のクリーム状の洗顔液が直接顔面に塗布（付着）されることになる。この塗布に際して、クリーム状の洗顔液をこすったり押しつけたりする必要がないので、洗顔液の泡が潰れることなく、また顔面に均一に塗布することも可能となる。
【００４５】
泡立てノズル５１から吐出されるクリーム状の洗顔液を、一旦手のひらにとって、その後、手指によってクリーム状の洗顔液を顔面に塗布することもできる。この場合、洗顔液はクリーム状となっているので、手のひらから殆ど拡散することなく、厚いクリームの層のまま顔面に塗布することができるので、クリーム状洗顔液を顔面に塗布する際に、手指で直接顔面をこすってしまう事態が防止されることになり、また洗顔液のほぼ全量を無駄なく顔面に塗布することができる。
【００４６】
再び図１において、化粧液噴射用となる噴射ノズル６１に対しては、エアマッサージ用ノズル構成部材（以下単にノズル構成部材と称することもある）７１が、着脱自在に取付けられるようになっている。ノズル構成部材７１の詳細が、図６に示される。この図６において、ノズル構成部材７１は、全体的に、ゴム等の弾性部材によって筒状に形成されている。より具体的には、円筒状とされて、噴射ノズル６１の先端部外周に嵌合される本体部７１ａと、本体部７１ａの先端部側に形成された径方向内方側に向かう内フランジ部７１ｂと、内フランジ部７１ｂの内周縁部で画成された小孔（噴射孔）７１ｃとを有する。この小孔７１ｃの有効開口面積（直径）は、噴射ノズル６１の有効開口面積よりも小さくされている。また、小孔７１ｃの軸心は、噴射ノズル６１（ノズル部１１）の軸心と一致されている。
【００４７】
ノズル構成部材７１は、その本体部７１ａを若干拡径させつつ、噴射ノズル６１の先端部外周に嵌合され、この嵌合状態が本体部７１ａの弾性力によって維持される（図９参照）。この嵌合状態では、弾性部材からなるノズル構成部材７１が、エアノズルＡのもっとも先端側に位置されることになる（噴射ノズル６１の先端面が、ノズル構成部材７１の内側フランジ部７１ｂによって被覆されている）。ノズル構成部材７１を取外すには、図９に示す嵌合状態から、本体部７１ａを拡径させるように弾性変形させつつ噴射ノズル６１から引き抜けばよい。このように、ノズル構成部材７１は、噴射ノズル６１に対して着脱自在に取付けられるようになっている。
【００４８】
エアマッサージ用として使用する際には、エアポンプ４２で発生されるエア圧が、化粧液噴射用あるいは洗顔液噴射用の場合に比してより大きくされて、噴射ノズル６１から噴射されるエアの流速がもっとも早く（大きく）なるようにされる。なお、エアポンプ４２における発生エア圧（エア流量）の調整（変更）の点については、後述する。
【００４９】
エアマッサージの際には、貯溜部１２には化粧液や洗顔液等の液体が貯溜されない状態とされ、また、操作部１３は操作しないものとされる（ノズル部１１は全閉のまま）。そして、図９に示すように、噴射ノズル６１にノズル構成部材７１を取付けた状態で、エアポンプ４２から大きなエア圧のエアが供給される。これにより、ノズル構成部材７１の先端に形成されている小孔７１ｃからは、エアマッサージに適した流速の早いエアが噴射されることになる。なお、エアマッサージは、図５に示すように、エアノズルＡを片手で把持して、ノズル構成部材７１が顔面に沿って移動させるようにすればよい。噴射ノズル６１の先端が弾性部材からなるノズル構成部材７１で覆われているので、エアノズルＡの先端を顔面に接触させてしまっても、問題のないものとなる。勿論、エアマッサージは、顔面のみならず、首筋、腕等、任意の箇所について行うことが可能である。
【００５０】
なお、操作部１３を操作してノズル部１１を開弁させると、貯溜部１２側から少なからずエアが吸引されて、その分ノズル構成部材７１から噴射されるエアの流速が低下されるので、エアマッサージの最中に操作部１３を操作することにより噴射流速をきめ細かく調整することも可能である（噴射流速低下方向の調整）。
【００５１】
図７、図８は、それぞれノズル構成部材７１の変形例を示すもので、小孔７１ａの有効開口面積を、図７の場合は図６に示す場合よりも大きくしたものであり（噴射ノズル６１の先端開口面積と同じ開口面積とされている）、図８場合は図６に示す場合よりも小さくしたものである。小孔７１ａの大きさが異なるノズル構成部材７１を選択的に使用することにより、好みの流速でもってエアマッサージを行うことができる。ただし、最大の有効開口面積を有する図７のようなノズル構成部材７１を用いる場合は、エアポンプ４２での発生エア圧（流量）が、化粧液噴射時の発生エア圧よりも十分に大きくされる。
【００５２】
次に、図１０を参照しつつ、発生エア圧（エア流量）を調整（変更）可能なエアポンプ４２の具体的な構造例について説明する。まず、８１は、商用電源からの電力が入力される電源回路である。この電源回路８１から、マイクロコンピュータ（例えば１チップマイコン）を利用して構成されたコントローラＵと駆動回路８２へ電力供給される。駆動回路８２から供給される電力によってモータ８３が駆動され、このモータ８３によって、例えばベローズ式等の適宜の形式のポンプ８４が駆動される。勿論、ポンプ８４で発生されたエアが、エアノズルＡに供給される。
【００５３】
上記コントローラＵには、スイッチＳ１〜Ｓ４からの操作信号が入力される。スイッチＳ１は、電源スイッチである。スイッチＳ２〜Ｓ４は、発生エア圧（エア流量）変更用スイッチである。すなわち、実施形態では、モータ８３の回転数を変更することにより、発生エア圧を変更するようになっており、このモータ回転数の変更は、駆動回路８２からモータ８３へ供給される電圧をデューティ制御することにより行われ、回転数の大小に応じたデューティ比がコントローラＵから駆動回路８３へ出力され、駆動回路８３は、入力されたデューティ比（に対応した電圧）でもってモータ８３へ給電する。
【００５４】
スイッチＳ２は、もっとも小さい回転数（最小エア圧）を指令するものである。スイッチＳ２は中間の回転数（中間のエア圧）を指令するものである。スイッチＳ３は、もっとも大きい回転数（最大エア圧）を指令するものである。実施形態では、各スイッチＳ２〜Ｓ４と発生エア圧の大きさとの対応関係が明確になるように、発生エア圧が大きなスイッチほど大きな面積を有するようにしてある（発生エア圧が最大となるスイッチＳ４がもっとも大きな面積を有する）。この他、各スイッチＳ２〜Ｓ４に、早、中、遅（あるいは大、中、小）の文字表示を行うようにしてもよい。
【００５５】
噴射ノズル６１からファンデーション用の化粧液を噴射する場合は、スイッチＳ３を操作して、発生エア圧が中間の大きさとされる。噴射ノズル６１からアイシャドウ用の化粧液を噴射する場合は、スイッチＳ２を操作して、発生エア圧が最小とされる。ノズル構成部材７１が装着された噴射ノズル６１からエアのみを噴射させるエアマッサージ用として使用される場合は、スイッチＳ４を操作して、発生エア圧が最大とされる。泡立てノズル５１からクリーム状となった洗顔液を噴射する場合は、スイッチＳ４を操作して発生エア圧を最大とするのが好ましいが、スイッチＳ３を操作して発生エア圧を中間の大きさとすることも可能である。
【００５６】
以上実施形態について説明したが、本考案は、実施形態に限定されるものではなく、実用新案登録請求の範囲の記載された範囲において適宜の変更が可能であり、例えば次のような場合をも含むものである。泡立てノズル５１を使用しないものであってもよい（洗顔用としては用いない）。噴射流速の変更としては、エアポンプ４２での発生エア圧の変更のみで行ってもよく、あるいは噴射有効開口面積の変更のみによって行うようにしてもよい。ファンデーション用とエアマッサージ用との２段階で噴射エア圧を変更するようにしてもよい。エアポンプ４２での発生エア圧を、連続可変式に変更するようにしてもよく、特にエアマッサージ用として連続可変式な変更が好ましいものである。この場合、例えば連続可変式に発生エア圧を指令するスイッチをダイアル式（回転式）として、このダイアル式スイッチの周囲に、化粧液用として好ましい範囲を示す指標と、エアマッサージ用として好ましい範囲を示す指標と、を表示しておくのが好ましい。
【００５７】
エアマッサージ用のノズル構成部材７１を、図９に示すように、噴射ノズル６１に相当する部材とあらかじめ一体化して、完全に噴射ノズル６１や泡立てノズル５１から別個独立したものとしてもよい（エアマッサージ用ノズルを、噴射ノズル６１や泡立てノズル５１と交換して使用される態様）。この場合、エアマッサージ用ノズルは、ノズル本体１の取付部１６へ着脱自在に取付けられる基端部側と小孔７１ａを有する先端部側とを別部材で構成してもよく、あるいはゴムや合成樹脂等によって全体的に同一部材で形成してもよい。
【００５８】
エア噴射口３５ａに供給されるエア圧を、操作部１３あるいは操作部１３とは別個にノズル本体１に設けた別の操作部を操作することによって調整可能としてもよい（エアの圧力調整用スイッチを設けるようにしてもよい）。ノズル部１１の開口面積を一定としてもよく、この場合、例えばエア通路３５に設けた弁装置の開度を操作部１３を操作することによって変更するようにしてもよい。エア噴射口３５ａは、ノズル部１１の周囲に間隔をあけて複数個設けるようにしてもよい。ノズル５１，６１等をノズル本体１に着脱自在に取付ける場合、例えばワンタッチ継手を用いる等、ねじ結合以外の適宜の手法を採択することができる。勿論、本考案の目的は、明記されたものに限らず、実質的に好ましいあるいは利点として表現されたものを提供することをも暗黙的に含むものである。
【産業上の利用可能性】
【００５９】
本考案は化粧分野において好適である。
【符号の説明】
【００６０】
Ａ：エアノズル
１：ノズル本体
１１：ノズル部
１２：貯溜部
１３：操作部
１４：エア接続部
１６：取付部
２１：弁筒部材
２２：ニードル弁
２４：リターンスプリング
３５：エア通路
３５ａ：エア噴射口
４１：エアパイプ
４２：エアポンプ（エア圧発生源）
５１：泡立てノズル
５１ａ：雌ねじ部
５２、５３：フィルタ
５６〜５７：室（膨張室）
６１：噴射ノズル（化粧液用）
７１：ノズル構成部材（エアマッサージ用）
７１ａ：本体部
７１ｂ：内側フランジ部
７１ｃ：小孔
８１：電源回路
８２：駆動回路
８３：モータ
８４：ポンプ
Ｓ１：スイッチ（電源スイッチ）
Ｓ２〜Ｓ４：スイッチ（発生エア圧変更用）
【図１】
0003179261.tif 000003
【図２】
0003179261.tif 000004
【図３】
0003179261.tif 000005
【図４】
0003179261.tif 000006
【図５】
0003179261.tif 000007
【図６】
0003179261.tif 000008
【図７】
0003179261.tif 000009
【図８】
0003179261.tif 000010
【図９】
0003179261.tif 000011
【図１０】
0003179261.tif 000012
【手続補正書】
【提出日】平成24年8月16日(2012.8.16)
【手続補正１】
【補正対象書類名】明細書
【補正対象項目名】全文
【補正方法】変更
【補正の内容】
【考案の詳細な説明】
【技術分野】
【０００１】
本考案は、化粧液噴射用とエアマッサージ用とを兼用できるようにしたエアノズル装置に関するものである。
【背景技術】
【０００２】
化粧用具の一種として、エアを利用して化粧液を顔面に噴射（噴霧）するためのエアノズルが知られている。このエアノズルは、そのノズル本体に、化粧液を貯溜する貯溜部と、ノズル本体の先端部に形成されて該貯溜部に連なるニードル弁式のノズル部と、ニードル弁を操作する操作部と、エア圧発生源に接続されると共にノズル部の周縁部に開口されたエア噴射口と、を有する。そして、ノズル本体の先端部には、ノズル部を囲むと共に内部にエア噴射口からのエアが供給される噴射ノズルが設けられる。このようなエアノズルは、片方の手指で把持されて、噴射ノズルを顔面に向けて使用されることになる。すなわち、エア噴射口から噴射されるエアのベンチュリ効果によって、ノズル部から化粧液が吸引されて、エアと化粧液との混合物が噴射ノズルから噴射されることになる。そして、化粧液の量は、操作部を操作してノズル部の開口面積を変更することにより行われる。
【０００３】
特許文献１には、噴射ノズルの変更と貯溜部に貯溜させる液体の変更によって、化粧液噴射を行う化粧用としての使用状態と、洗顔液をクリーム状にして噴射する洗顔用としての使用状態とを適宜選択できるようにしたエアノズル装置が開示されている。また、特許文献２には、耐圧容器に封入された化粧液と炭酸ガス等の噴射剤とを噴射するものが開示されており、ジェット噴射を行うことによりマッサージ効果が得られるということも開示されている。特許文献３には、化粧水と炭酸ガスとの混合物を顔面に噴射してマッサージするものが開示されている。
【先行技術文献】
【特許文献】
【０００４】
【特許文献１】実用新案登録第３１５９０１９号公報
【特許文献２】特開２００３−５４６６２号公報
【特許文献３】特許第４２７７３０６号公報
【考案の概要】
【考案が解決しようとする課題】
【０００５】
ところで、マッサージの中には、エアを顔面等に噴射させてマッサージを行うエアマッサージがある。このエアマッサージの機能を、化粧液噴射用のエアノズル装置でもって兼用できれば好ましいものとなる。しかしながら、化粧液噴射においては、化粧液を顔面にゆるやかに衝突させて付着させる等の観点から、エア噴射口つまり噴射ノズルから噴射されるエアの流速はかなり遅いものとならざるを得ず、エアマッサージ用としては使用できないものである。逆に、噴射ノズルから噴射されるエアの流速をエアマッサージ用に適したものに設定すると、化粧液噴射の際には、化粧液が局所的にかつ激しく顔面に衝突してしまい、化粧液を薄くかつ全体的に均一に塗布するということが困難となってしまい、化粧液噴射用としては使用できないものとなる。
【０００６】
本考案は以上のような事情を勘案してなされたもので、その目的は、化粧液噴射用とエアマッサージ用とを兼用できるようにしたエアノズル装置を提供することにある。
【課題を解決するための手段】
【０００７】
前記目的を達成するため、本考案にあっては、基本的に、噴射ノズルから噴射されるエアの流速を調整可能として、化粧液噴射用として使用するときは噴射ノズルから噴射されるエアの流速を遅い（小さい）状態とし、エアマッサージ用として使用するときは噴射ノズルから噴射されるエアの流速を早い（大きい）状態とするようにしてある。具体的には、本考案におけるエアノズル装置にあっては、次のような解決手法を採択してある。すなわち、請求項１に記載のように、
エア圧発生源と、
化粧液が貯溜される貯溜部と、先端部に位置されて該貯溜部からの化粧液が導かれるノズル部と、前記エア圧発生源に接続されると共に該ノズル部の周縁部からエアを噴射させるエア噴射口と、を有するノズル本体と、
前記ノズル本体の先端部に設けられ、前記ノズル部を囲むと共に内部に前記エア噴射口からのエアが供給される噴射ノズルと、
前記噴射ノズルから噴射されるエアの流速を調整する流速調整手段と、
を備え、
前記噴射ノズルから噴射されるエアの流速が遅い第１流速状態でもって前記貯溜部に貯溜された化粧液を前記噴射ノズルから噴射させる化粧液噴射用としての使用状態と、前記第１流速状態よりも流速が早い第２流速状態でもって前記噴射ノズルからエアのみを噴射させるエアマッサージ用としての使用状態とが選択可能とされている、
ようにしてある。
【０００８】
上記解決手法によれば、化粧液噴射用として使用するときは、噴射ノズルからは遅い流速でもってエアを噴射させて、化粧液塗布に適した噴射状態とすることができる。また、エアマッサージ用として使用するときは、噴射ノズルから早い流速でもってエアを噴射させて、エアによるマッサージ効果を十分に得ることができる。
【０００９】
上記解決手法を前提とした好ましい態様は、請求項２以下に記載のとおりである。すなわち、
前記流速調整手段が、前記噴射ノズルの有効開口面積を変更するようにされている、ようにしてある（請求項２対応）。この場合、噴射ノズルの有効開口面積変更によって、流速を変更することができる。
【００１０】
前記噴射ノズルが、化粧液噴射用とされ、
前記流速調整手段として、前記噴射ノズルの有効開口面積よりも小さな有効開口面積を有するエアマッサージ用ノズルが別途設けられ、
前記エアマッサージ用ノズルを用いないことにより化粧液噴射用の使用状態とされる一方、該エアマッサージ用ノズルを用いることによってエアマッサージ用の使用状態とされる、
ようにしてある（請求項３対応）。この場合、専用のエアマッサージ用ノズルを用いることにより、エアマッサージに適した流速を確実に得る上で好ましいものとなる。
【００１１】
前記エアマッサージ用ノズルが、筒状とされると共に少なくとも先端部が弾性部材により形成されており、
前記エアマッサージ用ノズルの先端は、その使用状態において、前記ノズル本体のもっとも先端側に位置するようにされている、
ようにしてある（請求項４対応）。この場合、エアマッサージの最中に、エアマッサージ用ノズルの先端部が顔面等に不用意に接触しても、弾性的に接触するだけなのでなんら問題のないものとなる。
【００１２】
前記エアマッサージ用ノズルが、前記噴射ノズルに対して着脱自在に取付られる、ようにしてある（請求項５対応）。この場合、エアマッサージ用ノズルは、その基端部側を噴射ノズルでもって兼用させて、エアマッサージ用ノズルを極力簡単な構成とする上で好ましいものとなる。
【００１３】
前記エアマッサージ用ノズルが、全体的に弾性部材により形成され、
前記エアマッサージ用ノズルは、その弾性変形を利用して前記噴射ノズルの先端部に着脱自在に嵌合される、
ようにしてある（請求項６対応）。この場合、エアマッサージ用ノズルが不用意に顔面等に接触した場合の問題を回避しつつ、弾性変形を利用して噴射ノズルに着脱自在に取付けられるので、この取付構造を簡単化する上でも好ましいものとなる。
【００１４】
前記ノズル本体に、前記噴射ノズルが着脱自在に取付けられ、
前記エアマッサージ用ノズルが、前記噴射ノズルに代えて前記ノズル本体に着脱自在に取付けられる、
ようにしてある（請求項７対応）。この場合、エアマッサージ用ノズルは、洗顔液噴射に適した噴射ノズルの構造等の制約を受けることなく、もっぱらエアマッサージ用とされるので、エアマッサージ用としてもっとも好適なエア噴射を行わせる等の上で好ましいものとなる。
【００１５】
前記エアマッサージ用ノズルの少なくとも先端部が弾性部材によって形成されている、ようにしてある（請求項８対応）。この場合、エアマッサージ時に、エアマッサージ用ノズルが不用意に顔面等に接触した場合の問題を回避する上で好ましいものとなる。
【００１６】
前記エアマッサージ用ノズルとして、有効開口面積の異なる複数種が用意されている、ようにしてある（請求項９対応）。この場合、エアマッサージの際に、使用者の好みにあったエア噴射を得る上で好ましいものとなる。
【００１７】
前記流速調整手段が、前記エア圧発生源で発生されるエア圧を調整するようにされている、ようにしてある（請求項１０対応）。この場合、発生エア圧を変更するという手法でもって、噴射エアの流速を変更することができる。
【００１８】
前記エア圧発生源が、エア圧を発生させるためのポンプと、該ポンプを駆動するモータと、を有し、
前記流速調整手段が、前記モータの回転数を調整する回転数調整手段として構成されている、
ようにしてある（請求項１１対応）。この場合、発生エア圧を変更する具体的な手法が提供される。
【００１９】
前記流速調整手段が、前記モータの回転数を、小回転数と中回転数と大回転数との少なくとも３段階で調整するようにようにされ、
前記モータの回転数が前記小回転数のときは、前記貯溜部にアイシャドウ用化粧液を貯溜させて前記噴射ノズルからアイシャドウ用化粧液を噴射させる使用状態とされ、
前記モータの回転数が前記中回転数のときは、前記貯溜部にファンデーション用化粧液を貯溜させて前記噴射ノズルからファンデーション用化粧液を噴射させる使用状態とされ、
前記モータの回転数が前記大回転数のときは、前記噴射ノズルからエアのみを噴射させるエアマッサージ用の使用状態とされる、
ようにしてある（請求項１２対応）。この場合、化粧液噴射用として、アイシャドウ用とファンデーション用とのそれぞれに適した２種類のエア流速を得つつ、エアマッサージに適したエア流速をも得ることができる。
【００２０】
前記流速調整手段として、前記噴射ノズルの有効開口面積を変更する開口面積変更手段をさらに備えている、ようにしてある（請求項１３対応）。この場合、発生エア圧の変更に加えて、噴射ノズルの有効開口面積変更をも行うことにより、噴射エア圧を大きな範囲でもって変更することが可能となる。
【００２１】
前記噴射ノズルが、化粧液の噴射用とされ、
前記流速調整手段が、前記噴射ノズルの有効開口面積を小さくするためのエアマッサージ用ノズルによって構成されている、
ようにしてある（請求項１４対応）。この場合、請求項３に対応した効果とほぼ同様の効果を得ることができる。
【００２２】
前記エアマッサージ用ノズルが、前記噴射ノズルに対して着脱自在に嵌合される、ようにしてある（請求項１５対応）。この場合、請求項５に対応した効果と同様の効果を得ることができる。
【００２３】
前記エアマッサージ用ノズル部材が、全体的に弾性部材により形成されると共に、使用状態においてもっとも先端側に位置される、ようにしてある（請求項１６対応）。この場合、請求項６に対応した効果と同様の効果を得ることができる。
【００２４】
前記流速調整手段として、前記噴射ノズルの有効開口面積よりも小さな有効開口面積を有するエアマッサージ用ノズルをさらに有し、
前記噴射ノズルが、化粧液噴射用とされると共に前記ノズル本体に着脱自在に取付けられ、
前記エアマッサージ用ノズルが、前記噴射ノズルに代えて前記ノズル本体に着脱自在に取付けられる、
ようにしてある（請求項１７対応）。この場合、請求項７に対応した効果と同様の効果を得ることができる。
【００２５】
前記エアマッサージ用ノズルの少なくとも先端部が、弾性部材によって形成されている、ようにしてある（請求項１８対応）。この場合、請求項８に対応した効果と同様の効果を得ることができる。
【００２６】
前記エアマッサージ用ノズルとして、有効開口面積の異なる複数種が用意されている、ようにしてある（請求項１９対応）。この場合、請求項９に対応した効果と同様の効果を得ることができる。
【００２７】
前記噴射ノズルが、前記ノズル本体に対して着脱自在に取付けられ、
前記噴射ノズルに代えて前記ノズル本体に着脱自在に設けられ、フィルタと膨張室とを有する泡立てノズルをさらに有し、
前記貯溜部に洗顔液を貯溜させることにより、前記泡立てノズル内に噴射された前記エアと洗顔液との混合物が前記フィルタと前記膨張室とを通過することにより、洗顔液がクリーム状となって前記泡立てノズルの先端から吐出される、
ようにしてある（請求項２０対応）。この場合、化粧液噴射用としての使用とエアマッサージ用としての使用に加えて、洗顔液をクリーム状として得る洗顔用としての使用をさらに得ることができる。
【００２８】
前記ノズル本体が、前記ノズル部の開口面積を閉状態から全開状態に渡る範囲でもって変更するための操作部を有している、ようにしてある（請求項２１対応）。この場合、
操作部を操作しないときに化粧液が無駄に吐出されてしまうのを防止することができる。
【００２９】
前記ノズル部は、弁筒部材と、該弁筒部材内に挿入された先細状のニードル弁と、を備えて、該ニードル弁の変位に応じて該ノズル部の開口面積が変更され、
前記ノズル本体内には、前記ノズル部が閉状態となるように前記ニードル弁を先端側に向けて付勢するスプリングが設けられ、
前記操作部によって前記スプリングに抗して前記ニードル弁を後退変位させることにより、前記ノズル部の開口面積が大きくされる、
ようにしてある（請求項２２対応）。この場合、ノズル部をニードル弁式としつつ、請求項２１に対応した効果を得ることができる。
【考案の効果】
【００３０】
本考案によれば、化粧液噴射用としての使用とエアマッサージ用としての使用とを選択的に行うことのできるエアノズル装置を提供することができる。特に、化粧液噴射用のエアノズルを有効に利用して、エアマッサージ機能を追加的に得る上で好ましいものとなる。
【図面の簡単な説明】
【００３１】
【図１】本考案が適用されたエアノズル装置の一例を示す全体図。
【図２】ノズル部の詳細を示す要部拡大断面図。
【図３】泡立てノズルを使用したときのノズル部付近を示す要部拡大断面図。
【図４】化粧液噴射用ノズルを使用したときのノズル部付近を示す要部拡大断面図。
【図５】化粧液噴射用ノズルを使用して、顔面に化粧液を塗布する様子を示す図。
【図６】エアマッサージ用ノズル構成部材の一例を示す側面断面図。
【図７】エアマッサージ用ノズル構成部材の一例を示すもので、図６に示すものよりも有効開口面積が大きくされた場合を示す側面断面図。
【図８】エアマッサージ用ノズル構成部材の一例を示すもので、図６に示すものよりも有効開口面積が小さくされた場合を示す側面断面図。
【図９】図６に示すエアマッサージ用ノズル構成部材を化粧液噴射用ノズルに取付けてエアマッサージ用して使用するときの状態を示す要部拡大断面図。
【図１０】エア圧発生源の内部構成例を示すブロック回路図。
【考案を実施するための形態】
【００３２】
以下本考案の実施形態について説明するが、実施形態では、化粧液噴射用とエアマッサージ用との２つの使用状態に加えて、さらに洗顔液をクリーム状にして吐出する洗顔クリーム噴射用の使用状態をも得られるようにして、合計３種類の使用状態を選択できるものとされている。
【００３３】
図１において、エアノズルＡは、ノズル本体１を有する。このノズル本体１は、前側構成部材１Ａと後側構成部材１Ｂとの分割構成とされて、全体的に手指で把持できるように細長く形成されている。前側構成部材１Ａは例えば金属によって前後に開口された筒状に形成され、後側構成部材１Ｂは例えば合成樹脂あるいは金属によって後端が閉じられた筒状に形成されている。そして、前側構成部材１Ａの後端部に後側構成部材１Ｂの前端部を螺合することにより、前側構成部材１Ａと後側構成部材１Ｂとが着脱自在に結合されている。
【００３４】
ノズル本体１は、ノズル部１１と、貯溜部１２と、操作部１３と、エア接続部１４と、を有する。ノズル部１１は、ノズル本体１の先端部に構成されている。具体的には、図２に示すように、細長い筒状の弁筒部材２１と、弁筒部材２１内に軸方向に変位可能に位置された長いニードル弁２２とを有する。弁筒部材２１はノズル本体１に固定され、ニードル弁２２は先端部が徐々に先細となるように形成されている。ニードル弁２２がもっとも前方（図１，図２左方）に位置したときは、弁筒部材２２（つまりノズル部１）の先端を閉じる閉弁状態とされる。この閉弁状態からニードル弁２２を後方（図１、図２右方）へ変位させると、弁筒部材２１の先端が開口され、その開口面積は、ニードル弁２２の後方への変量が大きくなるほど大きくされる。
【００３５】
図１に示すように、ニードル弁２２は、その途中に大径部２２ａを有する。この大径部２２ａの後方において、ノズル本体１内には環状のストッパ部材２３が螺合によって固定されている。このストッパ部材２３と大径部２２ａとの間には、ニードル弁２２を取り巻くように配設されたコイルスプリングからなるリターンスプリング２４が配設されて、ニードル弁２２は常時前方に向けて付勢されている（ノズル部１が閉弁される方向へ付勢されている）。なお、ニードル弁２２は、環状のストッパ部材２３および操作部１３（に形成された貫通孔）を摺動可能に貫通している。
【００３６】
貯溜部１２は、図２に示すように、化粧液（例えばファンデーション用やアイシャドウ用等のための液体）あるいは洗顔液（例えば洗顔石けん液）を貯溜できるようになっている。この貯溜部１２は、ノズル本体１（の前側構成部材１Ａ）に一体的に形成されて、上方が開口されると共に、その底部が、前記弁筒部材２１の後端開口部に連なっている。つまり、貯溜部１２に貯溜された液体は、弁筒部材２１内（弁筒部材２１とニードル弁２２との間の隙間）を通って、弁筒部材２１の先端部つまりノズル部１１に導入されるようになっている。
【００３７】
ノズル部１１の開口面積（開度）の変更は、操作部１３を操作して、ニードル弁２２を前後方向に変位させることによって行われる。この操作部１３は、ノズル本体１（の前側構成部材１Ａ）にピン２６（図１参照）を中心に所定角度範囲だけ揺動可能に保持されて、例えば人差し指あるいや親指で前後方向に揺動操作されるようになっている。そして、操作部１３の中間部が、前記大径部２２ａの前端面に対して前方から当接可能とされている。操作部１３がその前方揺動端位置にあるときは、ニードル弁２２は、リターンスプリング３２によって前方ストローク端に位置されて、ノズル部１が閉状態（閉弁状態）とされる。この閉状態から、操作部１３を後方に向けて揺動操作することによって、大径部２２ａを介してニードル弁２２が後方へ変位されて開弁され、ニードル弁２２の後方への変位量が大きくなるにつれてノズル部１の開口面積が大きくされて、最終的に全開状態とされる。
【００３８】
前記エア接続部１４は、例えば可撓性チューブからなるエアパイプ４１を介して、エア圧発生源としてのエアポンプ４２に接続される。このエア接続部１４は、図２に示すように、ノズル本体１（の前側構成部材１Ａ）内に形成されたエア通路３５の一端に連なっている。そして、エア通路３５の他端は、ノズル部１の直下方において、ノズル本体１の前面にエア噴射口３５ａとして開口されている。エアポンプ４２からエア通路３５に供給されたエア（加圧エア）は、エア噴射口３５ａから前方に向けて噴射されることになり、このときノズル部１が開弁されていると、ベンチュリ効果によって弁筒部材１１内の液体がノズル部１から吸引されてエアと共に前方へ噴射されることになる。ノズル部１の開口面積（開度）が大きいほど、噴射される液体量が増大されることになる。
【００３９】
ノズル本体１の先端部には、泡立てノズル５１または化粧液用の噴射ノズル６１が選択的に取付けられるようになっている。すなわち、ノズル本体１の先端部には、ノズル部１１の周囲において短い筒状の取付部１６が形成され、この取付部１６の外周に雄ねじ部１６ａが形成されている。そして、泡立てノズル５１および噴射ノズル６１の各後端部内面には、図３あるいは図４に示すように、上記雄ねじ部１６ａに螺合される雌ねじ部５１ａあるいは６１ａが形成されている。
【００４０】
噴霧用ノズル６１の詳細について、噴霧用ノズル６１をノズル本体１に装着した状態を示す図４を参照しつつ説明する。なお、図４では、貯溜部１２に化粧液が貯溜されている。噴霧用ノズル６１は、１つの部材によって形成されて、その基端部側は、先端に向かうにつれて徐々に径が小さくなり、最小径部分から先端側は同一径でもって伸びている。噴霧用ノズル６１の最小径部分には、隔壁部６２が形成されて、この隔壁部６２に小孔６２ａが開口されている。この小孔６２ａは、ニードル弁３２が進出可能とされていて、若干の絞り作用を奏するようになっている。
【００４１】
噴霧用ノズル６１を使用した場合は、ノズル部１１からの化粧液とエア噴射口３５ａからのエアとの混合物は、若干の広がりをもつ噴霧状として噴霧用ノズル６１から吐出されることになる。操作部１３を操作して、ノズル部１１の開度を大きくするほど、含まれる化粧液の割合が増大されることになる。エアノズルＡを図５に示すように片方の手指で把持して、噴射ノズル６１の先端を顔面に近づけた状態で、顔面に沿ってエアノズルＡを移動させることによって、化粧液が顔面全体に薄くかつ均一に塗布されることになる。
【００４２】
次に、泡立てノズル５１の詳細について、泡立てノズル５１をノズル本体１に装着した状態を示す図３を参照しつつ説明する。なお、図３では、貯溜部１２に洗顔液が貯溜されている。泡立てノズル５１は、複数（実施形態では２つ）の筒状のノズル構成部材５１Ａ、５１Ｂを直列にねじ結合することにより構成され、ねじ結合部分が符合α１で示される。泡立てノズル５１内には、細かい目を有する複数（実施形態では２つ）のフィルタ５２、５３が互いに間隔をあけて配設されている。各フィルタ５２、５３は、例えば円板状のポリエステルメッシュとされて、泡立てノズル５１の所定位置に固定されている。具体的には、フィルタ５２は、ノズル構成部材５１内面に形成された段部とスナップリング６０との間に挟持されている。フィルタ５３は、ノズル構成部材５１Ａと５１Ｂとの間に挟持されている。なお、フィルタ５２は例えばメッシュ１０５μ、フィルタ５３は例えばメッシュ２２７μとされている。
【００４３】
各フィルタ５２、５３によって、泡立てノズル５１内は、その基端側（ノズル本体１側）から順次、第１室５５，第２室５６，第３室５７の３つの室に区画されている。第１室５５は、ノズル部１１とエア噴射口３５ａとが臨まされて、ここでノズル部１１（貯溜部１２）からの洗顔液とエアとが混合される。洗顔液とエアとの混合物は、フィルタ５２、膨張室としての第２室５６，フィルタ５３，膨張室としての第３室５７を通って、泡立てノズル５１の先端からクリーム状となって吐出される。すなわち、細かい目を有するフィルタ５２を通過した直後に膨張室としての第２室５６でもって極めて細かい泡状つまりクリーム状とされ、このような作用を複数回経ることにより、泡立てノズル５１の先端からは極めてきめ細かい洗顔液のクリーム状物（図３，図５において符合Ｆで示される）が吐出されることになる。この場合、各室５５〜５７でもってエアの速度が減速されて、泡立てノズル５１から吐出される洗顔液のクリーム状物は、勢いよく前方へ飛び出すことなく、ゆっくりと広がるようにして吐出されることになる。操作部１３を操作してノズル部１の開度を大きくするほど、泡成物に含まれる洗顔液の量が増大されることになる。換言すれば、クリーム状の洗顔液の濃さ（つまりクリーム状洗顔液の保形性を示す硬さともなる）を、操作部１３の操作によって変更することが可能となる。
【００４４】
エアノズルＡを片方の手指で把持して、泡立てノズル５１の先端を顔面に近づけた状態で、顔面に沿ってエアノズルＡを移動させることによって、クリーム状の洗顔液が顔面全体に塗布されることになる。泡立てノズル５１から吐出された直後のクリーム状の洗顔液が直接顔面に塗布（付着）されることになる。この塗布に際して、クリーム状の洗顔液をこすったり押しつけたりする必要がないので、洗顔液の泡が潰れることなく、また顔面に均一に塗布することも可能となる。
【００４５】
泡立てノズル５１から吐出されるクリーム状の洗顔液を、一旦手のひらにとって、その後、手指によってクリーム状の洗顔液を顔面に塗布することもできる。この場合、洗顔液はクリーム状となっているので、手のひらから殆ど拡散することなく、厚いクリームの層のまま顔面に塗布することができるので、クリーム状洗顔液を顔面に塗布する際に、手指で直接顔面をこすってしまう事態が防止されることになり、また洗顔液のほぼ全量を無駄なく顔面に塗布することができる。
【００４６】
再び図１において、化粧液噴射用となる噴射ノズル６１に対しては、エアマッサージ用ノズル構成部材（以下単にノズル構成部材と称することもある）７１が、着脱自在に取付けられるようになっている。ノズル構成部材７１の詳細が、図６に示される。この図６において、ノズル構成部材７１は、全体的に、ゴム等の弾性部材によって筒状に形成されている。より具体的には、円筒状とされて、噴射ノズル６１の先端部外周に嵌合される本体部７１ａと、本体部７１ａの先端部側に形成された径方向内方側に向かう内フランジ部７１ｂと、内フランジ部７１ｂの内周縁部で画成された小孔（噴射孔）７１ｃとを有する。この小孔７１ｃの有効開口面積（直径）は、噴射ノズル６１の有効開口面積よりも小さくされている。また、小孔７１ｃの軸心は、噴射ノズル６１（ノズル部１１）の軸心と一致されている。
【００４７】
ノズル構成部材７１は、その本体部７１ａを若干拡径させつつ、噴射ノズル６１の先端部外周に嵌合され、この嵌合状態が本体部７１ａの弾性力によって維持される（図９参照）。この嵌合状態では、弾性部材からなるノズル構成部材７１が、エアノズルＡのもっとも先端側に位置されることになる（噴射ノズル６１の先端面が、ノズル構成部材７１の内側フランジ部７１ｂによって被覆されている）。ノズル構成部材７１を取外すには、図９に示す嵌合状態から、本体部７１ａを拡径させるように弾性変形させつつ噴射ノズル６１から引き抜けばよい。このように、ノズル構成部材７１は、噴射ノズル６１に対して着脱自在に取付けられるようになっている。
【００４８】
エアマッサージ用として使用する際には、エアポンプ４２で発生されるエア圧が、化粧液噴射用あるいは洗顔液噴射用の場合に比してより大きくされて、噴射ノズル６１から噴射されるエアの流速がもっとも早く（大きく）なるようにされる。なお、エアポンプ４２における発生エア圧（エア流量）の調整（変更）の点については、後述する。
【００４９】
エアマッサージの際には、貯溜部１２には化粧液や洗顔液等の液体が貯溜されない状態とされ、また、操作部１３は操作しないものとされる（ノズル部１１は全閉のまま）。そして、図９に示すように、噴射ノズル６１にノズル構成部材７１を取付けた状態で、エアポンプ４２から大きなエア圧のエアが供給される。これにより、ノズル構成部材７１の先端に形成されている小孔７１ｃからは、エアマッサージに適した流速の早いエアが噴射されることになる。なお、エアマッサージは、図５に示すように、エアノズルＡを片手で把持して、ノズル構成部材７１が顔面に沿って移動させるようにすればよい。噴射ノズル６１の先端が弾性部材からなるノズル構成部材７１で覆われているので、エアノズルＡの先端を顔面に接触させてしまっても、問題のないものとなる。勿論、エアマッサージは、顔面のみならず、首筋、腕等、任意の箇所について行うことが可能である。
【００５０】
なお、操作部１３を操作してノズル部１１を開弁させると、貯溜部１２側から少なからずエアが吸引されて、その分ノズル構成部材７１から噴射されるエアの流速が低下されるので、エアマッサージの最中に操作部１３を操作することにより噴射流速をきめ細かく調整することも可能である（噴射流速低下方向の調整）。
【００５１】
図７、図８は、それぞれノズル構成部材７１の変形例を示すもので、小孔７１ａの有効開口面積を、図７の場合は図６に示す場合よりも大きくしたものであり（噴射ノズル６１の先端開口面積と同じ開口面積とされている）、図８場合は図６に示す場合よりも小さくしたものである。小孔７１ａの大きさが異なるノズル構成部材７１を選択的に使用することにより、好みの流速でもってエアマッサージを行うことができる。ただし、最大の有効開口面積を有する図７のようなノズル構成部材７１を用いる場合は、エアポンプ４２での発生エア圧（流量）が、化粧液噴射時の発生エア圧よりも十分に大きくされる。
【００５２】
次に、図１０を参照しつつ、発生エア圧（エア流量）を調整（変更）可能なエアポンプ４２の具体的な構造例について説明する。まず、８１は、商用電源からの電力が入力される電源回路である。この電源回路８１から、マイクロコンピュータ（例えば１チップマイコン）を利用して構成されたコントローラＵと駆動回路８２へ電力供給される。駆動回路８２から供給される電力によってモータ８３が駆動され、このモータ８３によって、例えばベローズ式等の適宜の形式のポンプ８４が駆動される。勿論、ポンプ８４で発生されたエアが、エアノズルＡに供給される。
【００５３】
上記コントローラＵには、スイッチＳ１〜Ｓ４からの操作信号が入力される。スイッチＳ１は、電源スイッチである。スイッチＳ２〜Ｓ４は、発生エア圧（エア流量）変更用スイッチである。すなわち、実施形態では、モータ８３の回転数を変更することにより、発生エア圧を変更するようになっており、このモータ回転数の変更は、駆動回路８２からモータ８３へ供給される電圧をデューティ制御することにより行われ、回転数の大小に応じたデューティ比がコントローラＵから駆動回路８３へ出力され、駆動回路８３は、入力されたデューティ比（に対応した電圧）でもってモータ８３へ給電する。
【００５４】
スイッチＳ２は、もっとも小さい回転数（最小エア圧）を指令するものである。スイッチＳ２は中間の回転数（中間のエア圧）を指令するものである。スイッチＳ３は、もっとも大きい回転数（最大エア圧）を指令するものである。実施形態では、各スイッチＳ２〜Ｓ４と発生エア圧の大きさとの対応関係が明確になるように、発生エア圧が大きなスイッチほど大きな面積を有するようにしてある（発生エア圧が最大となるスイッチＳ４がもっとも大きな面積を有する）。この他、各スイッチＳ２〜Ｓ４に、早、中、遅（あるいは大、中、小）の文字表示を行うようにしてもよい。
【００５５】
噴射ノズル６１からファンデーション用の化粧液を噴射する場合は、スイッチＳ３を操作して、発生エア圧が中間の大きさとされる。噴射ノズル６１からアイシャドウ用の化粧液を噴射する場合は、スイッチＳ２を操作して、発生エア圧が最小とされる。ノズル構成部材７１が装着された噴射ノズル６１からエアのみを噴射させるエアマッサージ用として使用される場合は、スイッチＳ４を操作して、発生エア圧が最大とされる。泡立てノズル５１からクリーム状となった洗顔液を噴射する場合は、スイッチＳ４を操作して発生エア圧を最大とするのが好ましいが、スイッチＳ３を操作して発生エア圧を中間の大きさとすることも可能である。
【００５６】
以上実施形態について説明したが、本考案は、実施形態に限定されるものではなく、実用新案登録請求の範囲の記載された範囲において適宜の変更が可能であり、例えば次のような場合をも含むものである。泡立てノズル５１を使用しないものであってもよい（洗顔用としては用いない）。噴射流速の変更としては、エアポンプ４２での発生エア圧の変更のみで行ってもよく、あるいは噴射有効開口面積の変更のみによって行うようにしてもよい。ファンデーション用とエアマッサージ用との２段階で噴射エア圧を変更するようにしてもよい。エアポンプ４２での発生エア圧を、連続可変式に変更するようにしてもよく、特にエアマッサージ用として連続可変式な変更が好ましいものである。この場合、例えば連続可変式に発生エア圧を指令するスイッチをダイアル式（回転式）として、このダイアル式スイッチの周囲に、化粧液用として好ましい範囲を示す指標と、エアマッサージ用として好ましい範囲を示す指標と、を表示しておくのが好ましい。
【００５７】
エアマッサージ用のノズル構成部材７１を、図９に示すように、噴射ノズル６１に相当する部材とあらかじめ一体化して、完全に噴射ノズル６１や泡立てノズル５１から別個独立したものとしてもよい（エアマッサージ用ノズルを、噴射ノズル６１や泡立てノズル５１と交換して使用される態様）。この場合、エアマッサージ用ノズルは、ノズル本体１の取付部１６へ着脱自在に取付けられる基端部側と小孔７１ａを有する先端部側とを別部材で構成してもよく、あるいはゴムや合成樹脂等によって全体的に同一部材で形成してもよい。
【００５８】
エア噴射口３５ａに供給されるエア圧を、操作部１３あるいは操作部１３とは別個にノズル本体１に設けた別の操作部を操作することによって調整可能としてもよい（エアの圧力調整用スイッチを設けるようにしてもよい）。ノズル部１１の開口面積を一定としてもよく、この場合、例えばエア通路３５に設けた弁装置の開度を操作部１３を操作することによって変更するようにしてもよい。エア噴射口３５ａは、ノズル部１１の周囲に間隔をあけて複数個設けるようにしてもよい。ノズル５１，６１等をノズル本体１に着脱自在に取付ける場合、例えばワンタッチ継手を用いる等、ねじ結合以外の適宜の手法を採択することができる。勿論、本考案の目的は、明記されたものに限らず、実質的に好ましいあるいは利点として表現されたものを提供することをも暗黙的に含むものである。
【産業上の利用可能性】
【００５９】
本考案は化粧分野において好適である。
【符号の説明】
【００６０】
Ａ：エアノズル
１：ノズル本体
１１：ノズル部
１２：貯溜部
１３：操作部
１４：エア接続部
１６：取付部
２１：弁筒部材
２２：ニードル弁
２４：リターンスプリング
３５：エア通路
３５ａ：エア噴射口
４１：エアパイプ
４２：エアポンプ（エア圧発生源）
５１：泡立てノズル
５１ａ：雌ねじ部
５２、５３：フィルタ
５６〜５７：室（膨張室）
６１：噴射ノズル（化粧液用）
７１：ノズル構成部材（エアマッサージ用）
７１ａ：本体部
７１ｂ：内側フランジ部
７１ｃ：小孔
８１：電源回路
８２：駆動回路
８３：モータ
８４：ポンプ
Ｓ１：スイッチ（電源スイッチ）
Ｓ２〜Ｓ４：スイッチ（発生エア圧変更用）
【手続補正２】
【補正対象書類名】実用新案登録請求の範囲
【補正対象項目名】全文
【補正方法】変更
【補正の内容】
【実用新案登録請求の範囲】
【請求項１】
エア圧発生源と、
化粧液が貯溜される貯溜部と、先端部に位置されて該貯溜部からの化粧液が導かれるノズル部と、前記エア圧発生源に接続されると共に該ノズル部の周縁部からエアを噴射させるエア噴射口と、を有するノズル本体と、
前記ノズル本体の先端部に設けられ、前記ノズル部を囲むと共に内部に前記エア噴射口からのエアが供給される噴射ノズルと、
前記噴射ノズルから噴射されるエアの流速を調整する流速調整手段と、
を備え、
前記噴射ノズルから噴射されるエアの流速が遅い第１流速状態でもって前記貯溜部に貯溜された化粧液を前記噴射ノズルから噴射させる化粧液噴射用としての使用状態と、前記第１流速状態よりも流速が早い第２流速状態でもって前記噴射ノズルからエアのみを噴射させるエアマッサージ用としての使用状態とが選択可能とされている、
ことを特徴とするエアノズル装置。
【請求項２】
請求項１において、
前記流速調整手段が、前記噴射ノズルの有効開口面積を変更するようにされている、ことを特徴とするエアノズル装置。
【請求項３】
請求項２において、
前記噴射ノズルが、化粧液噴射用とされ、
前記流速調整手段として、前記噴射ノズルの有効開口面積よりも小さな有効開口面積を有するエアマッサージ用ノズルが別途設けられ、
前記エアマッサージ用ノズルを用いないことにより化粧液噴射用の使用状態とされる一方、該エアマッサージ用ノズルを用いることによってエアマッサージ用の使用状態とされる、
ことを特徴とするエアノズル装置。
【請求項４】
請求項３において、
前記エアマッサージ用ノズルが、筒状とされると共に少なくとも先端部が弾性部材により形成されており、
前記エアマッサージ用ノズルの先端は、その使用状態において、前記ノズル本体のもっとも先端側に位置するようにされている、
ことを特徴とするエアノズル装置。
【請求項５】
請求項４において、
前記エアマッサージ用ノズルが、前記噴射ノズルに対して着脱自在に取付けられる、
ことを特徴とするエアノズル装置。
【請求項６】
請求項５において、
前記エアマッサージ用ノズルが、全体的に弾性部材により形成され、
前記エアマッサージ用ノズルは、その弾性変形を利用して前記噴射ノズルの先端部に着脱自在に嵌合される、
ことを特徴とするエアノズル装置。
【請求項７】
請求項３において、
前記ノズル本体に、前記噴射ノズルが着脱自在に取付けられ、
前記エアマッサージ用ノズルが、前記噴射ノズルに代えて前記ノズル本体に着脱自在に取付けられる、
ことを特徴とするエアノズル装置。
【請求項８】
請求項７において、
前記エアマッサージ用ノズルの少なくとも先端部が弾性部材によって形成されている、ことを特徴とするエアノズル装置。
【請求項９】
請求項３ないし請求項８のいずれか１項において、
前記エアマッサージ用ノズルとして、有効開口面積の異なる複数種が用意されている、ことを特徴とするエアノズル装置。
【請求項１０】
請求項１において、
前記流速調整手段が、前記エア圧発生源で発生されるエア圧を調整するようにされている、ことを特徴とするエアノズル装置。
【請求項１１】
請求項１０において、
前記エア圧発生源が、エア圧を発生させるためのポンプと、該ポンプを駆動するモータと、を有し、
前記流速調整手段が、前記モータの回転数を調整する回転数調整手段として構成されている、
ことを特徴とするエアノズル装置。
【請求項１２】
請求項１１において、
前記流速調整手段が、前記モータの回転数を、小回転数と中回転数と大回転数との少なくとも３段階で調整するようにようにされ、
前記モータの回転数が前記小回転数のときは、前記貯溜部にアイシャドウ用化粧液を貯溜させて前記噴射ノズルからアイシャドウ用化粧液を噴射させる使用状態とされ、
前記モータの回転数が前記中回転数のときは、前記貯溜部にファンデーション用化粧液を貯溜させて前記噴射ノズルからファンデーション用化粧液を噴射させる使用状態とされ、
前記モータの回転数が前記大回転数のときは、前記噴射ノズルからエアのみを噴射させるエアマッサージ用の使用状態とされる、
ことを特徴とするエアノズル装置。
【請求項１３】
請求項１０ないし請求項１２のいずれか１項において、
前記流速調整手段として、前記噴射ノズルの有効開口面積を変更する開口面積変更手段をさらに備えている、ことを特徴とするエアノズル装置。
【請求項１４】
請求項１３において、
前記噴射ノズルが、化粧液の噴射用とされ、
前記流速調整手段が、前記噴射ノズルの有効開口面積を小さくするためのエアマッサージ用ノズルによって構成されている、
ことを特徴とするエアノズル装置。
【請求項１５】
請求項１４において、
前記エアマッサージ用ノズルが、前記噴射ノズルに対して着脱自在に嵌合される、
ことを特徴とするエアノズル装置。
【請求項１６】
請求項１５において、
前記エアマッサージ用ノズル部材が、全体的に弾性部材により形成されると共に、使用状態においてもっとも先端側に位置される、ことを特徴とするエアノズル装置。
【請求項１７】
請求項１０ないし請求項１２のいずれか１項において、
前記流速調整手段として、前記噴射ノズルの有効開口面積よりも小さな有効開口面積を有するエアマッサージ用ノズルをさらに有し、
前記噴射ノズルが、化粧液噴射用とされると共に前記ノズル本体に着脱自在に取付けられ、
前記エアマッサージ用ノズルが、前記噴射ノズルに代えて前記ノズル本体に着脱自在に取付けられる、
ことを特徴とするエアノズル装置。
【請求項１８】
請求項１７において、
前記エアマッサージ用ノズルの少なくとも先端部が、弾性部材によって形成されている、ことを特徴とするエアノズル装置。
【請求項１９】
請求項１４ないし請求項１８のいずれか１項において、
前記エアマッサージ用ノズルとして、有効開口面積の異なる複数種が用意されている、ことを特徴とするエアノズル装置。
【請求項２０】
請求項１ないし請求項１９のいずれか１項において、
前記噴射ノズルが、前記ノズル本体に対して着脱自在に取付けられ、
前記噴射ノズルに代えて前記ノズル本体に着脱自在に設けられ、フィルタと膨張室とを有する泡立てノズルをさらに有し、
前記貯溜部に洗顔液を貯溜させることにより、前記泡立てノズル内に噴射された前記エアと洗顔液との混合物が前記フィルタと前記膨張室とを通過することにより、洗顔液がクリーム状となって前記泡立てノズルの先端から吐出される、
ことを特徴とするエアノズル装置。
【請求項２１】
請求項１ないし請求項２０のいずれか１項において、
前記ノズル本体が、前記ノズル部の開口面積を閉状態から全開状態に渡る範囲でもって変更するための操作部を有している、ことを特徴とするエアノズル装置。
【請求項２２】
請求項２１において、
前記ノズル部は、弁筒部材と、該弁筒部材内に挿入された先細状のニードル弁と、を備えて、該ニードル弁の変位に応じて該ノズル部の開口面積が変更され、
前記ノズル本体内には、前記ノズル部が閉状態となるように前記ニードル弁を先端側に向けて付勢するスプリングが設けられ、
前記操作部によって前記スプリングに抗して前記ニードル弁を後退変位させることにより、前記ノズル部の開口面積が大きくされる、
ことを特徴とするエアノズル装置。